(57)【要約】【課題】シートを第１搬送路及び第２搬送路のそれぞれに安定的に案内することができるインクジェット記録装置を提供する。【解決手段】第１面に画像が記録された記録紙１２は、第２状態である第１フラップ６５の第１当接面６５Ｂに幅方向中央部が当接した後に、幅方向両端部が第４状態である第２フラップ６８の第２当接面６８Ｂに当接する。記録紙１２の幅方向中央部は、第１状態になった第１フラップ６５の第１当接面６５Ｂによって案内され、記録紙１２の幅方向両端部は、第３状態になった第２フラップ６８の第２当接面６８Ｂによって案内される。記録紙１２が第２方向７２へ搬送されると、幅方向中央部が第２状態の第１フラップ６５の第４当接面６５Ｄにより案内され、幅方向両端部が第４状態の第２フラップ６８の第３当接面６８Ｃにより案内されて、記録紙１２は第２搬送路２８Ｂへ搬送される。【選択図】図２
2017081742.tif 000002
【特許請求の範囲】
【請求項１】
第１方向に沿って第１搬送路を搬送されるシートに画像を記録する記録部と、
上記第１搬送路においてシートを上記第１方向、及び上記第１方向と逆方向の第２方向へ選択的に搬送するスイッチバック搬送部と、
上記第１方向へ搬送されるシートを上記スイッチバック搬送部へ案内する第１状態、及び上記スイッチバック搬送部により上記第２方向へ搬送されるシートを上記第１搬送路から第２搬送路へ案内する第２状態に変位する第１フラップと、
上記第１方向と交差する第３方向において上記第１フラップを間としてそれぞれ配置されており、上記第１方向へ搬送されるシートを上記スイッチバック搬送部へ案内する第３状態、及び上記スイッチバック搬送部により上記第２方向へ搬送されるシートを上記第１搬送路から第２搬送路へ案内する第４状態に変位する第２フラップと、を具備しており、
上記第１フラップが、上記第１搬送路において上記第１方向へ搬送されるシートと当接する第１当接部の上記第１方向に沿った位置は、上記第２フラップが、上記第１搬送路において上記第１方向へ搬送されるシートと当接する第２当接部の上記第１方向に沿った位置より上記第１方向の上流であり、
上記第２フラップの、上記スイッチバック搬送部により上記第２方向へ搬送されるシートと当接する第３当接部は、上記第１フラップの、上記スイッチバック搬送部により上記第２方向へ搬送されるシートと当接する第４当接部よりも、上記第２搬送路へ突出しているインクジェット記録装置。
【請求項２】
上記第１フラップは、上記第１方向の上流端部が第１軸に回動可能に支持されており、
上記第２フラップは、上記第１方向の上流端部が第２軸にそれぞれ回動可能に支持されており、
上記第１軸の位置は、上記第２軸の位置より上記第１方向の上流である請求項１に記載のインクジェット記録装置。
【請求項３】
上記第１フラップの上記第１当接部は、上記第１方向の上流へ向かって上記第１搬送路から退避するように傾斜した傾斜面であり、
上記第２フラップの上記第２当接部は、上記第１方向の上流へ向かって上記第１搬送路から退避するように傾斜した傾斜面である請求項２に記載のインクジェット記録装置。
【請求項４】
上記第１フラップの上記第４当接部は、上記第２方向の上流へ向かって上記第２搬送路から退避するように傾斜した傾斜面であり、
上記第２フラップの上記第３当接部は、上記第２方向の上流へ向かって上記第２搬送路から退避するように傾斜した傾斜面である請求項２又は３に記載のインクジェット記録装置。
【請求項５】
上記スイッチバック搬送部は、上記第１方向へ搬送されるシートにおける上記第１方向の上流端が、上記第２状態になった上記第１フラップの上記第４当接部及び上記第４状態になった上記第２フラップの上記第３当接部にそれぞれ当接した状態で、当該シートの搬送方向を上記第２方向に切り換える請求項１から４のいずれかに記載のインクジェット記録装置。
【請求項６】
上記第２搬送路は、上記第１搬送路において上記記録部よりも上記第１方向の上流及び下流において上記第１搬送路とそれぞれ接続されている請求項１から５のいずれかに記載のインクジェット記録装置。
【請求項７】
上記第１フラップの上記第１当接部、及び上記第２フラップの上記第２当接部は、上記第１方向へ搬送されるシートにおいて上記記録部が画像を記録した記録面と当接する請求項１から６のいずれかに記載のインクジェット記録装置。
【発明の詳細な説明】
【技術分野】
【０００１】
本発明は、シートの両面に画像を記録するインクジェット記録装置に関する。
【背景技術】
【０００２】
特許文献１には、シートの片面に画像を記録する片面印刷と、シートの両面に画像を記録する両面印刷の両方が実行可能なインクジェット記録装置が開示されている。
【０００３】
このインクジェット記録装置では、第１搬送路を第１方向に搬送されるシートは、その片面（「第１面」とする）に画像が記録された後、シート案内部材（経路切換部）に案内されてスイッチバック搬送部へ搬送される。スイッチバック搬送部は、シートを第１方向へ搬送した後に、第１方向の逆方向である第２方向へ搬送する。第２方向へ搬送されるシートは、シート案内部材に案内されて第１搬送路から第２搬送路へ進入する。
【０００４】
第２搬送路を搬送されるシートは、第１面と反対の面（「第２面」とする）に画像記録が可能な状態で第１搬送路へ進入する。第２面に画像記録がされたシートは、第１方向へ搬送されて第１搬送路から排出される。
【０００５】
シート案内部材は、第１搬送路において、第１方向と直交する第３方向に沿って配置された支持軸に回動可能に支持されている。第１搬送路を第１方向に搬送されるシートがシート案内部材に当接すると、シート案内部材が上方へ回動して、シートをスイッチバック搬送部へ案内する状態になる。シート案内部材は、第１方向に搬送される記録紙が当接すると、上方へ回動される。その後、シートの後端部（第１方向の上流端）が、シート案内部材と当接した状態で第１方向に搬送されると、シート案内部材は自重により下方へ回動する。シート案内部材が下方へ回動した状態で、シートがスイッチバック搬送部によって第２方向へ搬送されると、シートはシート案内部材によって第２搬送路へ案内される。
【先行技術文献】
【特許文献】
【０００６】
【特許文献１】特開２０１０−２０８８５３号公報
【発明の概要】
【発明が解決しようとする課題】
【０００７】
シートは、インクが付着することによって膨潤する。膨潤したシートは、例えば、第３方向の中央部が、第３方向の両端部よりも大きく上方に突出した湾曲状態になる。シートの湾曲が大きくなると、キャリッジなどにシートが接触して、シートの破損やジャムの原因となる。また、シートの湾曲によって、シートがシート案内部材と当接する位置が不安定となり、シート案内部材が所望の回動状態とならないおそれがある。例えば、第２方向へ搬送されるシートがシート案内部材と当接したときに、シート案内部材を上方へ持ち上げるように回動させ、シートが第２搬送路へ進入せずに、第１搬送路へ向かうおそれがある。
【０００８】
本発明は、前述された事情に鑑みてなされたものであり、その目的は、第１搬送路及び第２搬送路においてシートを安定して案内することができるインクジェット記録装置を提供することにある。
【課題を解決するための手段】
【０００９】
（1）  本発明に係るインクジェット記録装置は、第１方向に沿って第１搬送路を搬送されるシートに画像を記録する記録部と、上記第１搬送路においてシートを上記第１方向、及び上記第１方向と逆方向の第２方向へ選択的に搬送するスイッチバック搬送部と、上記第１方向へ搬送されるシートを上記スイッチバック搬送部へ案内する第１状態、及び上記スイッチバック搬送部により上記第２方向へ搬送されるシートを上記第１搬送路から第２搬送路へ案内する第２状態に変位する第１フラップと、上記第１方向と交差する第３方向において上記第１フラップを間としてそれぞれ配置されており、上記第１方向へ搬送されるシートを上記スイッチバック搬送部へ案内する第３状態、及び上記スイッチバック搬送部により上記第２方向へ搬送されるシートを上記第１搬送路から第２搬送路へ案内する第４状態に変位する第２フラップと、を具備している。上記第１フラップが、上記第１搬送路において上記第１方向へ搬送されるシートと当接する第１当接部の上記第１方向に沿った位置は、上記第２フラップが、上記第１搬送路において上記第１方向へ搬送されるシートと当接する第２当接部の上記第１方向に沿った位置より上記第１方向の上流である。上記第２フラップの、上記スイッチバック搬送部により上記第２方向へ搬送されるシートと当接する第３当接部は、上記第１フラップの、上記スイッチバック搬送部により上記第２方向へ搬送されるシートと当接する第４当接部よりも、上記第２搬送路へ突出している。
【００１０】
上記構成によれば、記録部においてインクによる画像が第１面に記録されたシートが第１搬送路を第１方向へ搬送されると、シートは、第１フラップの第１当接部に当接する。例えば、インクの水分によってシートの中央部分が膨潤して上方へ突出していると、その突出部分が第１フラップの第１当接部に当接することによって下方へ押し下げられる。第１フラップは、第１方向と交差する第３方向に沿ってそれぞれ配置された第２フラップの間に配置されており、第１当接部がシートに当接した時点では、第２フラップの第２当接部はシートに当接していない。このため、第１当接部がシートの中央部分を押し下げることによって、シートの両端が外方へ押される。
【００１１】
スイッチバック搬送部によって第２方向へ搬送されるシートは、第２状態になった第１フラップの第４当接部及び第４状態になった第２フラップの第３当接部によって、第２搬送路へ案内される。この場合、第２フラップの第３当接部が第１フラップの第４当接部よりも第２搬送路へ突出しているために、シートの両端部分は、第４部分に案内されるシートの中央部分よりも、第２搬送路へ向かう状態になる。これにより、シートの幅方向両端が湾曲した状態であっても、当該シートは、第１搬送路から第２搬送路へ安定して案内される。
【００１２】
（2）  好ましくは、上記第１フラップは、上記第１方向の上流端部が第１軸に回動可能に支持されており、上記第２フラップは、上記第１方向の上流端部が第２軸にそれぞれ回動可能に支持されている。さらに、上記第１軸の位置は、上記第２軸の位置より上記第１方向の上流である。
【００１３】
（3）  好ましくは、上記第１フラップの上記第１当接部は、上記第１方向の上流へ向かって上記第１搬送路から退避するように傾斜した傾斜面であり、上記第２フラップの上記第２当接部は、上記第１方向の上流へ向かって上記第１搬送路から退避するように傾斜した傾斜面である。
【００１４】
（4）  好ましくは、上記第１フラップの上記第４当接部は、上記第２方向の上流へ向かって上記第２搬送路から退避するように傾斜した傾斜面であり、上記第２フラップの上記第３当接部は、上記第２方向の上流へ向かって上記第２搬送路から退避するように傾斜した傾斜面である。
【００１５】
（5）  好ましくは、上記スイッチバック搬送部は、上記第１方向へ搬送されるシートにおける上記第１方向の上流端が、上記第２状態になった上記第１フラップの上記第４当接部及び上記第４状態になった上記第２フラップの上記第３当接部にそれぞれ当接した状態で、当該シートの搬送方向を上記第２方向に切り換える。これにより、シートは第２搬送路へ安定的に案内される。
【００１６】
（6）  好ましくは、上記第２搬送路は、上記第１搬送路において上記記録部よりも上記第１方向の上流及び下流において上記第１搬送路とそれぞれ接続されている。
【００１７】
（7）  好ましくは、上記第１フラップの上記第１当接部、及び上記第２フラップの上記第２当接部は、上記第１方向へ搬送されるシートにおいて上記記録部が画像を記録した記録面と当接する。
【発明の効果】
【００１８】
本発明によれば、第１フラップ及び第２フラップによってシートを安定して案内することができる。
【図面の簡単な説明】
【００１９】
【図１】図１は、本発明の実施形態の一例である複合機１０の斜視図である。
【図２】図２は、複合機１０の構成を説明するための模式図である。
【図３】図３は、プラテン５０及びその周辺部分の斜視図である。
【図４】図４は、シート案内部６０及びスイッチバック搬送部４０の平面模式図である。
【図５】図５は、シート案内部６０における第１フラップ６５及び第２フラップ６８の構成を説明するための側面模式図である。
【図６】図６は、プラテン５０上において画像が記録紙１２の状態を説明するための模式図である。
【図７】図７（Ａ）〜（Ｃ）は、シート案内部６０を通過する記録紙１２の状態変化を説明するための模式図である。
【図８】図８（Ａ）及び（Ｂ）は、それぞれ、シート案内部６０における第１フラップ６５及び第２フラップ６８の動作を説明するための模式図である。
【発明を実施するための形態】
【００２０】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００２１】
図１に示される複合機１０（インクジェット記録装置の一例）は、プリンタ機能、ファクシミリ機能、コピー機能等の各種の機能を有する。複合機１０は、概ね直方体形状に構成された装置本体１１と、装置本体１１の下部に対して着脱可能になった給送トレイ１３とを有する。
【００２２】
なお、複合機１０が使用可能に設置された図１の状態を基準として、図１に示された上方向６及び下方向７、前方向８及び後方向９、右方向４及び左方向５のそれぞれが定義される。以下の説明においては、定義された方向が使用される。
【００２３】
図２に示されるように、給送トレイ１３内には、画像が記録される記録紙１２（「シート」の一例）が積み重ねられた状態で収容される。給送トレイ１３は、装置本体１１に装着された図１の状態で、前方向８に引き出し可能である。
【００２４】
本実施形態では、給送トレイ１３内に、例えば、記録紙１２としてＡ４サイズの普通紙が、長辺を前方向８及び後方向９に沿った状態で収容される。給送トレイ１３内に収容されたＡ４サイズの記録紙１２は、装置本体１１内に設けられた第１搬送路２８Ａを搬送される。
【００２５】
記録紙１２は、長辺又は短辺の中央部が、第１搬送路２８Ａにおける搬送方向と直交する方向の中央線（以下、中央基準線７３（図４参照）とする）に一致するように、中央基準線７３を基準として搬送される。なお、以下においては、記録紙１２が、中央基準線７３を基準として搬送される場合を、「中央基準」と称する。また、記録紙１２における搬送方向と直交する方向を「幅方向」とする。
【００２６】
図２に示されるように、装置本体１１の上部には、インクジェット方式で記録紙１２に画像を記録する記録部３１が設けられている。記録部３１の下方向７の位置には、記録紙１２を支持するプラテン５０が設けられている。プラテン５０上に支持された記録紙１２に対して、記録部３１によって画像が記録される。
【００２７】
プラテン５０と給送トレイ１３との間には、給送トレイ１３内の記録紙１２を第１搬送路２８Ａへ給送する給送部１５が設けられている。また、装置本体１１の後端部には、給送部１５によって給送トレイ１３から給送される記録紙１２を記録部３１へ案内する給送ガイド部材１６が設けられている。給送ガイド部材１６は、後方向９に向かって突出する円弧形状に湾曲している。給送ガイド部材１６における内周面は、記録紙１２が搬送される第１搬送路２８Ａの上流部分を画定している。
【００２８】
給送部１５は、給送トレイ１３内の記録紙１２を第１搬送路２８Ａへ給送する給送ローラ１５Ａを有する。給送ローラ１５Ａは、軸線が右方向４及び左方向５に沿った状態とされて、支持アーム１５Ｂの一端部（先端部）に回転可能に支持されている。支持アーム１５Ｂの他端部（基端部）は、給送ローラ１５Ａの軸線に平行な軸線を有する支持軸１５Ｃに回動可能に支持されている。
【００２９】
給送ローラ１５Ａは、支持アーム１５Ｂが支持軸１５Ｃを中心として下方向７に回動されると、給送トレイ１３内に収容された最上部の記録紙１２に当接し、上方向６に回動されると記録紙１２から離間する。給送ローラ１５Ａは、動力伝達機構１５Ｄによって図示しないモータの動力が伝達されて、図２に矢印Ｄ１で示される方向に回転される。給送ローラ１５Ａが記録紙１２に当接した状態で回転されると、記録紙１２は、第１搬送路２８Ａへ搬送される。給送トレイ１３から搬送される記録紙１２は、給送ガイド部材１６に案内されて、第１搬送路２８Ａを中央基準で搬送される。
【００３０】
給送ガイド部材１６とプラテン５０との間には、給送ガイド部材１６によって案内される記録紙１２をプラテン５０上へ搬送する第１搬送部２１が設けられている。第１搬送部２１は、軸線が右方向４及び左方向５に沿った１本の第１搬送ローラ２１Ａと、第１搬送ローラ２１Ａの下方向７において右方向４及び左方向５に沿って配置された複数のピンチローラ２１Ｂとを有する。
【００３１】
第１搬送ローラ２１Ａは、図示されないモータの回転が伝達されて、図２に矢印Ｄ２で示す方向に回転される。複数のピンチローラ２１Ｂは、右方向４及び左方向５にそれぞれが間隔を空けて配置されている。各ピンチローラ２１Ｂは、第１搬送ローラ２１Ａに接しており、それぞれが第１搬送ローラ２１Ａの回転に追従して回転する。
【００３２】
回転状態になった第１搬送ローラ２１Ａ及びピンチローラ２１Ｂの間に記録紙１２が搬送されると、記録紙１２が第１搬送ローラ２１Ａ及びピンチローラ２１Ｂに挟持されて、第１搬送路２８Ａを、ほぼ水平な状態で搬送される。なお、以下においては、第１搬送部２１によって第１搬送路２８Ａを記録紙１２が搬送される方向（図２において矢印７１で示される方向）を、「第１方向７１」とする。
【００３３】
第１搬送路２８Ａは、プラテン５０と記録部３１との間を通過しており、記録紙１２は、第１搬送部２１の第１搬送ローラ２１Ａ及びピンチローラ２１Ｂによってプラテン５０上へ搬送される。
【００３４】
図３に示されるように、プラテン５０は平板状であり、プラテン５０の右方向４及び左方向５に沿った長さは、第１搬送路２８Ａを搬送される最大サイズの記録紙１２の幅方向に沿った長さよりも長くなっている。プラテン５０の上面には、上方向６に突出する複数本のリブ５１が設けられている。各リブ５１は、右方向４及び左方向５に間隔を空けた状態で第１方向７１に沿って延出されている。第１搬送路２８Ａを搬送される記録紙１２は、各リブ５１上に支持される。
【００３５】
図２に示されるように、プラテン５０の上方向６に配置された記録部３１は、キャリッジ３２を有する。キャリッジ３２は、ガイドフレーム（不図示）によって、右方向４及び左方向５への移動可能に支持されている。ガイドフレームは、右方向４及び左方向５に沿って延出されている。
【００３６】
キャリッジ３２は、ガイドフレーム上を、右方向４及び左方向５に沿って往復移動可能である。なお、本実施形態では、キャリッジ３２が往復移動する方向（走査方向）は、第１方向７１に直交する方向であるが、走査方向は必ずしも第１方向７１と直交している必要はなく、第１方向７１と交差していればよい。
【００３７】
キャリッジ３２の下部には記録ヘッド３３が設けられている。記録ヘッド３３は、下方向７に向かってインク滴を吐出する複数のノズル３４を有する。各ノズル３４は、インクカートリッジ（不図示）から供給されるインクを、インク滴としてプラテン５０へ向かって吐出する。
【００３８】
プラテン５０上に搬送された記録紙１２に画像を記録する場合には、記録紙１２は、プラテン５０上における記録ヘッド３３と対向する位置に停止される。次いで、キャリッジ３２が走査方向（右方向４及び左方向５）に沿って往復移動され、この往復移動の間に、ノズル３４からインク滴が選択的に吐出される。その後は、記録紙１２の第１方向７１への間欠搬送と、記録紙１２が停止されている間のキャリッジ３２の往復移動及びノズル３４からのインク滴の選択的な吐出とが繰り返される。これにより、インクによる画像が記録紙１２に記録される。
【００３９】
プラテン５０における第１方向７１の下流端は、記録部３１よりも第１方向７１の下流に位置されている。プラテン５０の下流端に対して第１方向７１の下流には、プラテン５０上の記録紙１２を第１方向７１へ搬送する第２搬送部２３が設けられている。
【００４０】
第２搬送部２３は、軸線が右方向４及び左方向５に沿って配置された複数の第２搬送ローラ２３Ａと、複数の第２搬送ローラ２３Ａのそれぞれの上方向６に配置された複数の第１拍車ローラ２３Ｃとを有する。複数の第２搬送ローラ２３Ａは、右方向４及び左方向５に沿って配置された１本の第２ローラ軸２３Ｂに、一定の間隔が空けられた状態で取り付けられている。各第１拍車ローラ２３Ｃは、上方向６に配置された第２搬送ローラ２３Ａに接しており、図３に示されたローラホルダ２４に支持されている。
【００４１】
第２ローラ軸２３Ｂは、図示されないモータの回転が伝達されることにより、図２に矢印Ｄ３で示される方向に回転される。これにより、複数の第２搬送ローラ２３Ａのそれぞれが、第２ローラ軸２３Ｂと一体となって同方向に回転される。各第１拍車ローラ２３Ｃは、それぞれが対向する各第２搬送ローラ２３Ａの回転に追従して回転する。プラテン５０上の記録紙１２が、回転状態の第２搬送ローラ２３Ａ及び第１拍車ローラ２３Ｃの間に搬送されると、記録紙１２は、第２搬送ローラ２３Ａ及び第１拍車ローラ２３Ｃに挟持されて、第１方向７１へ搬送される。
【００４２】
第２搬送部２３に対して第１方向７１の下流には、第１搬送路２８Ａを搬送される記録紙１２を、下方向７から支持する支持ガイド８０が設けられている。支持ガイド８０は、第１搬送路２８Ａにおける右方向４及び左方向５の全域にわたって設けられており、その上面８２は水平状態になっている。支持ガイド８０については後述される。
【００４３】
第１搬送路２８Ａには、支持ガイド８０に対して第１方向７１の下流において、第２搬送路２８Ｂが接続されている。第１搬送路２８Ａと第２搬送路２８Ｂとの接続部分に対して第１方向７１の下流には、スイッチバック搬送部４０が設けられている。また、第１搬送路２８Ａの上方向６の位置には、第１搬送路２８Ａと第２搬送路２８Ｂとの接続部分に対向してシート案内部６０が設けられている。
【００４４】
第２搬送部２３から第１方向７１へ搬送される記録紙１２は、シート案内部６０によって案内されて、スイッチバック搬送部４０へ搬送される。スイッチバック搬送部４０は、記録紙１２を、第１方向７１と、第１方向７１とは逆方向（以下、「第２方向７２」とする）とに選択的に搬送可能である。
【００４５】
第２搬送路２８Ｂは、第１搬送路２８Ａから、後方向９に向かって下方向７に傾斜した状態で延出されており、第１搬送路２８Ａにおいて記録部３１よりも上流に接続されている。第２搬送路２８Ｂは、スイッチバック搬送部４０における第１方向７１の上流から、後方向９に向かって下方向７に傾斜した状態で延出された搬送ガイド２５と、搬送ガイド２５と対向する、支持ガイド８０のガイド面８１及び第１搬送部２１等を支持するフレーム２７とによって画定されている。
【００４６】
スイッチバック搬送部４０は、軸線が右方向４及び左方向５に沿って配置された複数のスイッチバックローラ４１と、複数のスイッチバックローラ４１のそれぞれの上方向６に配置された複数の第２拍車ローラ４２とを有する。図３に示されるように、各スイッチバックローラ４１は、右方向４及び左方向５に沿って配置された１本の第３ローラ軸４３に、一定の間隔を空けた状態で取り付けられている。各第２拍車ローラ４２は、それぞれの下方向７に設けられたスイッチバックローラ４１に接している。
【００４７】
第３ローラ軸４３は、図示されないモータによって、図２に矢印Ｄ４及びＤ５で示す両方向への回転が可能になっている。各第２拍車ローラ４２は、スイッチバックローラ４１の回転に追従して回転する。なお、以下においては、矢印Ｄ４で示された方向の回転を「正転」、矢印Ｄ５で示された方向の回転を「逆転」とする。スイッチバックローラ４１が正転されると、記録紙１２は第１方向７１へ搬送され、スイッチバックローラ４１が逆転されると、記録紙１２は第１方向７１へ搬送される。
【００４８】
第３ローラ軸４３は、第２搬送部２３における第２搬送ローラ２３Ａと同期して正転される。これにより、スイッチバックローラ４１は、第３ローラ軸４３と一体となって正転される。正転状態のスイッチバックローラ４１と第２拍車ローラ４２との間に記録紙１２が進入すると、記録紙１２は、スイッチバックローラ４１と第２拍車ローラ４２とによって挟持されて第１方向７１へ搬送される。また、スイッチバックローラ４１と第２拍車ローラ４２とによって記録紙１２が挟持された状態で、スイッチバックローラ４１が逆転されると、記録紙１２は第２方向７２へ搬送される。
【００４９】
スイッチバック搬送部４０に対して第１方向７１の下流には、排出トレイ１７が設けられている。排出トレイ１７は、スイッチバック搬送部４０におけるスイッチバックローラ４１と第２拍車ローラ４２との当接位置よりも下方向７の位置において、ほぼ水平な状態で前方向８へ延出されている。排出トレイ１７上には、複数枚の記録紙１２が積載可能である。
【００５０】
片面（「第１面」とする）に画像が記録された記録紙１２を排出トレイ１７上に排出する片面印刷の場合には、スイッチバックローラ４１と第２拍車ローラ４２との間を記録紙１２が通過するまで、第３ローラ軸４３の正転が継続される。これにより、第１面に画像が記録された記録紙１２は排出トレイ１７上に排出される。
【００５１】
記録紙１２における第１面のみならず、第１面とは反対面（「第２面」とする）に画像を記録する両面印刷の場合には、第１面に画像が記録された記録紙１２は、スイッチバック搬送部４０及びシート案内部６０により、第２搬送路２８Ｂへ搬送される。この場合のスイッチバック搬送部４０及びシート案内部６０に動作については後述される。
【００５２】
［シート案内部６０及び支持ガイド８０］
シート案内部６０は、図４、５に示されるように、第１搬送路２８Ａにおける右方向４及び左方向５の中央部に配置された１つの第１案内部材６１と、第１搬送路２８Ａにおける右方向４及び左方向５のそれぞれの端部に１つずつ配置された第２案内部材６２とを有する。図２に示されるように、第１案内部材６１及び第２案内部材６２は、第１搬送路２８Ａと第２搬送路２８Ｂとの接続部分の上方向６において、当該接続部分よりも後方向９から当該接続部分に渡って位置している。
【００５３】
図４に示されるように、第１案内部材６１は、それぞれが平板状に構成された複数枚の第１フラップ６５を有する。第１フラップ６５のそれぞれは、平板状の最大面となる両側面が上方向６及び下方向７、並びに前方向８及び後方向９に沿っている。全ての第１フラップ６５は同一の形状である。各第１フラップ６５は、それぞれが右方向４及び左方向５に間隔を空けた状態で、第１支持軸６１Ａに固定されている。第１支持軸６１Ａに固定された各第１フラップ６５は、右方向４又は左方向５から視たときに外形が重複する。
【００５４】
各第２案内部材６２は、それぞれが平板状に構成された複数枚の第２フラップ６８を有する。第２フラップ６８のそれぞれは、平板状の最大面となる両側面が上方向６及び下方向７、並びに前方向８及び後方向９に沿っている。全ての第２フラップ６８は同一形状であるが、第１フラップ６５とは異なる形状である。各第２フラップ６８は、それぞれが右方向４及び左方向５に間隔を空けた状態で、第２支持軸６２Ａに固定されている。第２支持軸６２Ａに固定された各第２フラップ６５は、右方向４又は左方向５から視たときに外形が重複する。
【００５５】
各第１フラップ６５は、第１方向７１へ搬送される記録紙１２の幅方向中央部を、スイッチバック搬送部４０へ案内する状態（図８（Ａ）に示される状態、以下、「第１状態」とする）と、第１搬送路２８Ａを第２方向７２へ搬送される記録紙１２の幅方向中央部を第２搬送路２８Ｂへ案内する状態（図５に示される状態、以下、「第２状態」とする）とに、変位可能になっている。
【００５６】
各第２フラップ６８は、第１方向７１へ搬送される記録紙１２の幅方向両端部をスイッチバック搬送部４０へ案内する状態（図８（Ｂ）に示される状態、以下、「第３状態」とする）と、第１搬送路２８Ａを第２方向７２へ搬送される記録紙１２の幅方向両端部を第２搬送路２８Ｂへ案内する状態（図５に示される状態、以下、「第４状態」とする）とに、変位可能になっている。
【００５７】
図５は、第１フラップ６５及び第２フラップ６８の構成を説明するための模式図である。図５においては、第１フラップ６５は第２状態になっており、第２フラップ６８は第４状態になっている。図５においては記録紙１２と支持ガイド８０の上面８２とは間隔が空けられて示されているが、記録紙１２は支持ガイド８０の上面８２上を摺接する。図５に示されるように、第１フラップ６５における第１方向７１の上流端部６５Ｅ（以下、「第１上流端部６５Ｅ」とする）は、第１方向７１の上流に向かって突出した形状になっている。第１上流端部６５Ｅは、第１フラップ６５の上面６５Ａにおける上流端部と、上面６５Ａの下方向７に位置された当接面６５Ｂ（「第１当接部」の一例）の上流端部とによって形成されている。なお、以下においては、第１フラップ６５の上面６５Ａを「第１上面６５Ａ」とし、第１フラップ６５の当接面６５Ｂを「第１当接面６５Ｂ」とする。
【００５８】
図２に示されるように、第１上流端部６５Ｅは、支持ガイド８０における第１方向７１の下流端よりも第１方向７１の上流に位置する。支持ガイド８０は、各第１フラップ６５及び各第２フラップ６８のそれぞれの下方向７の位置に、前方向８に沿って延出されたスリット（図示されず）が形成されている。各スリットには、第２状態になった各第１フラップ６５及び第４状態になった各第２フラップ６８の下方向７に位置する端部が、それぞれ進入可能である。第２状態になった各第１フラップ６５及び第４状態になった各第２フラップ６８は、スリットに対して後方向９に位置する支持ガイド８０の一部に当接して、第２状態及び第４状態に維持される。
【００５９】
支持ガイド８０における第１方向７１の下流端部には下方向７に向けられたガイド面８１が設けられている。ガイド面８１は、前方向８の端部から、後方向９に向かって下方向７に位置するように、水平に対して傾斜している。
【００６０】
第１フラップ６５における第１方向７１の下流端部６５Ｆ（以下、「第１下流端部６５Ｆ」とする）は、第１方向７１の下流に向かって突出した形状になっている。第１下流端部６５Ｆは、第１上面６５Ａの下流端部と、第１上面６５Ａに対して下方向７の位置に設けられた当接面６５Ｄ（「第４当接部」の一例）の下流端部とによって形成されている。なお、以下においては、当接面６５Ｄを「第４当接面６５Ｄ」とする。
【００６１】
第１上面６５Ａは、第１方向７１に沿って延出された平坦面である。第１上面６５Ａにおける第１方向７１の上流端部と、第１当接面６５Ｂにおける第１方向７１の上流端部とは、第１方向７１の上流に向かって円弧状に突出する湾曲面を介して接続されている。第１当接面６５Ｂは、第１方向７１の下流に向かって、第１上面６５Ａから離れるように、水平状態に対して傾斜している。
【００６２】
図５に示されるように、全ての第１フラップ６５における第１上流端部６５Ｅには、貫通孔６５Ｇが設けられており、貫通孔６５Ｇに、図４に示される第１支持軸６１Ａ（「第１軸」の一例）が挿通している。全ての第１フラップ６５は、第１支持軸６１Ａに一体的に取り付けられており、第１支持軸６１Ａと一体となって回転可能である。第１支持軸６１Ａは、右方向４及び左方向５に沿って配置されており、第１支持軸６１Ａにおける右方向４及び左方向５の両端部は、前述した第１拍車ローラ２３Ｃを支持するローラホルダ２４（図３参照）に回動可能に支持されている。
【００６３】
第１フラップ６５が第２状態である場合、第１当接面６５Ｂは、第１方向７１の上流に向かって第１搬送路２８Ａから退避するように傾斜した状態になる。
【００６４】
第２搬送部２３から第１方向７１へ搬送される記録紙１２は、支持ガイド８０上において水平状態に支持される。第２状態である第１フラップ６５の第１当接面６５Ｂには、第１搬送路２８Ａを第１方向７１へ搬送される記録紙１２の幅方向中央部が当接される。第１フラップ６５は、第１当接面６５Ｂに当接された記録紙１２の搬送が継続されることにより、支持ガイド８０上に支持された記録紙１２によって、第１下流端部６５Ｆが上方向６へ回動するように持ち上げられる。その結果、全ての第１フラップ６５は、図８（Ｂ）に示される第１状態に回動（変位）する。
【００６５】
第１当接面６５Ｂにおける第１方向７１の下流端には、第１方向７１の下流に延出された中間面６５Ｃが連続して設けられている。中間面６５Ｃは、第１方向７１に延出された平坦面であり、第２状態では、第１方向７１に沿った状態になる。この状態では、中間面６５Ｃにおける第１方向の下流端は、支持ガイド８０よりも第１方向７１の下流に位置される。
【００６６】
中間面６５Ｃにおける第１方向７１の下流端には、上述した第４当接面６５Ｄが連続して設けられている。第４当接面６５Ｄは、第１フラップ６５が第２状態になっていると、第２方向７２の上流へ向かって第２搬送路２８Ｂから退避するように傾斜する。第４当接面６５Ｄにおける第１方向７１の下流端は、上記したように、第１上面６５Ａにおける第１方向７１の下流端に接続されている。第２状態になった第１フラップ６５の第４当接面６５Ｄは、スイッチバック搬送部４０によって第２方向７２へ搬送される記録紙１２の幅方向中央部を案内する。
【００６７】
図５に示されるように、第２案内部材６２の第２フラップ６８も、第１フラップ６５と同様に、第１方向７１の上流端部６８Ｅ（以下、「第２上流端部６８Ｅ」とする）が、第１方向７１の上流に向かって突出した形状になっている。第２フラップ６８の第２上流端部６８Ｅは、第１フラップ６５の第１上流端部６５Ｅよりも第１方向７１の下流において、支持ガイド８０とは上方向６に間隔を空けて配置されている。
【００６８】
図５に示されるように、第２フラップ６８の第２上流端部６８Ｅは、第２フラップ６８の上面６８Ａと、上面６８Ａに対して下方向７の位置に設けられた当接面６８Ｂとによって形成されている。なお、以下においては、第２フラップ６８の上面６８Ａを、「第２上面６８Ａ」とし、第２フラップ６８の当接面６８Ｂ（「第２当接部」の一例）を、「第２当接面６８Ｂ」とする。
【００６９】
第２フラップ６８における第１方向７１の下流端部６８Ｆ（以下、「第２下流端部６８Ｆ」とする）は、第１方向７１の下流に向かって突出した形状になっている。第２下流端部６８Ｆは、第２上面６８Ａの下流端部と、第２上面６８Ａに対して下方向７の位置に設けられた当接面６８Ｃ（「第３当接部」の一例）の下流端部とによって形成されている。なお、以下においては、当接面６８Ｃを、「第３当接面６８Ｃ」とする。第３当接面６８Ｃの上流端部は、第２当接面６８Ｂの下流端に接続されている。
【００７０】
第２上面６８Ａは、第１方向７１に沿って延出された平坦面であり、 第２上面６８Ａにおける第１方向７１の上流端部と、第２当接面６８Ｂにおける第１方向７１の上流端部とが、第１方向７１の上流に向かって円弧状に突出する湾曲面を介して接続されている。第２当接面６８Ｂは、第１方向７１の下流に向かって、第２上面６８Ａから離れるように傾斜している。
【００７１】
図５に示されるように、第２上流端部６８Ｅは、支持ガイド８０における第１方向７１の下流端よりも第１方向７１の上流であって、第１フラップ６５の第１上流端部６５Ｆよりも第１方向７１の下流に位置されている。全ての第２フラップ６８における第２上流端部６８Ｅには、貫通孔６８Ｇが設けられており、貫通孔６８Ｇに、図４に示される第２支持軸６２Ａ（「第２軸」の一例）が挿通されている。全ての第２フラップ６８は、第２支持軸６２Ａに一体的に取り付けられて、第２支持軸６２Ａと一体となって回転可能である。第２支持軸６２Ａは、右方向４及び左方向５に沿って配置されており、第２支持軸６２Ａにおける右方向４及び左方向５の両端部は、前述した第１拍車ローラ２３Ｃを支持するローラホルダ２４（図３参照）に回動可能に支持されている。
【００７２】
図５に示されるように、全ての第２フラップ６８は、記録紙１２が当接しない状態では、自重によって、第２フラップ６８における第２当接面６８Ｂの下流端部が、支持ガイド８０における第１方向７１の下流端部に設けられたスリット内に進入し、支持ガイド８０に当接している。すなわち、各第２フラップ６８は第４状態である。
【００７３】
第２状態である第１フラップ６５の第１当接面６５Ｂは、第４状態である第２フラップ６８の第２当接面６８Ｂよりも、第１方向７１の上流にあり、且つ第２当接面６８Ｂと平行である。したがって、支持ガイド８０上を第１方向７１へ搬送される記録紙１２の第１方向７１の下流端は、第１当接面６５Ｂと当接した後、第２当接面６８Ｂと当接する。
【００７４】
第２搬送部２３から第１方向７１へ搬送される記録紙１２は、支持ガイド８０上において水平状態に支持される。第４状態である第２フラップ６８の第２当接面６８Ｂには、第１搬送路２８Ａを第１方向７１へ搬送される記録紙１２の幅方向両端部における上面が当接される。第２フラップ６８は、第２当接面６８Ｂに当接された記録紙１２の搬送が継続されることにより、支持ガイド８０によって支持された記録紙１２によって、第２下流端部６８Ｆが上方向６へ回動するように持ち上げられる。その結果、全ての第２フラップ６８は、図８（Ｂ）に示される第３状態に回動（変位）する。
【００７５】
図５に示されるように、第２当接面６８Ｂにおける第１方向７１の下流端に連続して設けられた第３当接面６８Ｃは、第２フラップ６８が第４状態である場合、第２状態の第１フラップ６５の第４当接面６５Ｄと同様の傾斜状態になる。すなわち、第２フラップ６８が第４状態であるとき、第３当接面６８Ｃは、第２方向７２の上流へ向かって第２搬送路２８Ｂから退避するように傾斜した状態である。第４状態の第２フラップ６８の第３当接面６８Ｃは、第２状態の第１フラップ６５の第４当接面６５Ｄよりも下方向７にあり、且つ第４当接面６５Ｄと平行である。したがって、スイッチバック搬送部４０によって第２方向７２へ搬送される記録紙１２の第２方向７２の下流端は、第４当接面６５Ｄと当接する幅方向中央部よりも、第３当接面６８Ｃと当接する幅方向両端部が、下方向７に位置するように案内される。
【００７６】
［両面印刷］
次に、本実施形態の複合機１０において実行される両面印刷について説明される。なお、以下の説明では、記録紙１２は、全ての第２フラップ６８に当接するものとする。
【００７７】
複合機１０において両面印刷が実行される場合には、片面印刷と同様に、プラテン５０上に記録紙１２が支持されて、記録部３１によって、記録紙１２における上方向６に向けられた第１面に画像が記録される。記録紙１２に画像が記録される場合、通常、記録紙１２の幅方向両端部に、画像が形成されない余白が設けられる。このために、幅方向中央部に付着するインク量は、幅方向両端部に付着するインク量よりも多くなる傾向にある。インクが付着した記録紙は、インクの水分によって膨潤する。記録紙１２は、インク量が多い部分ほど、膨潤による変形量が大きくなる。
【００７８】
プラテン５０上において画像が記録された記録紙１２は、図６に示されるように、幅方向中央部１２Ａが上方向６に突出するように湾曲する。このために、上方向６に突出した部分に対して右方向４及び左方向５の両外に、幅方向中央部１２Ａとは反対方向に緩やかに湾曲した湾曲部１２Ｃがそれぞれ形成される。
【００７９】
プラテン５０上において画像が記録された記録紙１２は、第２搬送部２３によって第１方向７１へ搬送されると、シート案内部６０の下方向７に達する。この場合、シート案内部６０では、第１案内部材６１における第１フラップ６５の全てが第２状態になっており、それぞれの第２案内部材６２における第２フラップ６８の全てが第４状態になっている。
【００８０】
シート案内部６０の下方向７に達した記録紙１２は、画像が記録された第１面（「記録面」に相当）における幅方向中央部１２Ａが、第２状態になった第１フラップ６５の第１当接面６５Ｂに当接する。この時点では、記録紙１２における幅方向両端部１２Ｂは、第１搬送路２８Ａにおける右方向４及び左方向５の両端部に配置された各第２案内部材６２の第２フラップ６８には当接しない。
【００８１】
第１フラップ６５の第１当接面６５Ｂに当接した記録紙１２は、第１方向７１へ搬送されることにより、記録紙１２の第１面における幅方向中央部１２Ａが、第１当接面６５Ｂに摺接される。この場合、上方向６へ突出した状態の記録紙１２の幅方向中央部１２Ａは、第１フラップ６５の第１当接面６５Ｂにより押し下げられる。これにより、支持ガイド８０上に支持された記録紙１２は、幅方向中央部１２Ａにおける上方向６への突出量が低下する。
【００８２】
その後、記録紙１２の幅方向中央部１２Ａは、図７（Ａ）に示されるように、支持ガイド８０の上面８２に当接する状態にまで押し下げられる。なお、図５には、支持ガイド８０の上面８２に幅方向中央部１２Ａが当接された記録紙１２が実線で示されている。また、図７（Ａ）は、図５に示された矢印Ａに記録紙１２及び第１案内部材６１を視た状態が示されている。
【００８３】
この場合、記録紙１２の幅方向中央部１２Ａに対して下方向７に作用する力は、幅方向中央部１２Ａに対して右方向４及び左方向５の両外において、湾曲部１２Ｃの湾曲を解消させる力となる。この力が、幅方向両端部１２Ｂにおいて、右方向４及び左方向５の両外に向かう力７５となる。この力７５には、支持ガイド８０からの反力も含まれることから、幅方向両端部１２Ｂにおいては、両外の側縁部を上方向６に跳ね上げる力となり、各側縁部が上方向６に跳ね上げられる。
【００８４】
記録紙１２の幅方向中央部１２Ａにおける湾曲状態が解消されると、記録紙１２の幅方向中央部１２Ａは、支持ガイド８０上に支持された状態になる。このような状態で、記録紙１２が第１方向７１へ搬送されると、第１フラップ６５の第１当接面６５Ｂは、支持ガイド８０に支持された記録紙１２の幅方向中央部１２Ａによって上方向６へ持ち上げられる。その結果、図８（Ａ）に示されるように、全ての第１フラップ６５は、第１方向７１の下流端が上方向６へ回動される。
【００８５】
第１フラップ６５の下流端を第２状態より上方向６へ回動させている状態の記録紙１２が第１方向７１へ搬送されると、記録紙１２の幅方向両端部１２Ｂは、図８（Ａ）に示されるように、第２フラップ６８の第２当接面６８Ｂに当接する。この場合における図８（Ａ）の矢印Ｂへ記録紙１２及び第２案内部材６２を視た状態が図７（Ｂ）に示される。図７（Ｂ）に示されるように、記録紙１２の幅方向両端部１２Ｂにおいて上方向６へ跳ね上げられた部分は、第２フラップ６８の第２当接面６８Ｂによって下方向７へ押し下げられる。これにより、記録紙１２の幅方向両端部１２Ｂは、支持ガイド８０の上面８２に沿って平坦になる。
【００８６】
全ての第１フラップ６５は、第１当接面６５Ｂと中間面６５Ｃとの接続部が記録紙１２の幅方向中央部１２Ａに摺接することにより、第１状態に維持される。記録紙１２の幅方向中央部１２Ａは、第１状態の第１フラップ６５に案内されてスイッチバック搬送部４０へ搬送される。このとき、記録紙１２における幅方向中央部１２Ａは、湾曲状態が解消されているので、記録紙１２の幅方向中央部１２Ａから第１フラップ６５に作用する力は、湾曲している状態の幅方向中央部１２Ａから第１フラップ６５に作用する力よりも小さい。したがって、第１フラップ６５に対して摺動する記録紙１２に大きな負荷が生じ難くなり、記録紙１２の搬送が安定する。
【００８７】
記録紙１２の幅方向両端部１２Ｂは、第２フラップ６８の第２当接面６８Ｂによって押圧されて、支持ガイド８０の上面８２に沿った状態になり、第２フラップ６８の第２当接面６８Ｂは、記録紙１２によって第４状態であるときの位置より上方向６へ持ち上げられる。これにより、図８（Ｂ）に示されるように、全ての第２フラップ６８は、第３状態になる。全ての第２フラップ６８は、第２当接面６８Ｂと第３当接面６８Ｃとの接続位置が記録紙１２の幅方向両端部１２Ｂに摺接することにより、第３状態に維持され、記録紙１２の幅方向両端部１２Ｂが、スイッチバック搬送部４０へ案内される。
【００８８】
スイッチバック搬送部４０においては、第２搬送部２３における第２搬送ローラ２３Ａと同期してスイッチバックローラ４１が正転されており、第１搬送方向７１へ搬送される記録紙１２が、スイッチバックローラ４１と第２拍車ローラ４２との間に進入する。この場合、記録紙１２は、幅方向中央部１２Ａが上方向６へ突出せず、また、幅方向両端部１２Ｂが上方向６へ跳ね上がっていないために、スイッチバックローラ４１及び第２拍車ローラ４２との間に円滑に進入する。スイッチバックローラ４１及び第２拍車ローラ４２の間に進入した記録紙１２は、第１方向７１へ搬送される。
【００８９】
記録紙１２の幅方向中央部１２Ａにおける第１方向７１の上流端が、第１フラップ６５における第１当接面６５Ｂと中間面６５Ｃとの接続部を第１方向７１へ通過すると、第１状態の第１フラップ６５は第２状態へ向かって回動し始める。第１フラップ６５の回動によって、記録紙１２の幅方向中央部１２Ａにおける第１方向７１の上流端は、第１フラップ６５の中間面６５Ｃに摺接する。記録紙１２の幅方向中央部１２Ａにおける第１方向７１の上流端は、中間面６５Ｃを摺接している間に、支持ガイド８０における第１方向７１の下流端を第１方向７１へ通過する。これにより、記録紙１２の幅方向中央部１２Ａにおける第１方向７１の上流端は、支持ガイド８０により支持されなくなる。これにより、第１フラップ６５が自重によって更に第２状態へ向かって回動し、回動する第１フラップ６５により、記録紙１２の幅方向中央部１２Ａにおける第１方向７１の上流端が下方向７へ押し下げられる。そして、第１フラップ６５は第２状態になり、記録紙１２の幅方向中央部１２Ａにおける第１方向７１の上流端は、第２状態になった第１フラップ６５の第４当接面６５Ｄに当接する。
【００９０】
また、記録紙１２の幅方向両端部１２Ｂにおける第１方向７１の上流端は、第２フラップ６８の第２当接面６８Ｂと第３当接面６８Ｃとの接続部と摺接している間に、支持ガイド８０における第１方向７１の下流端を第１方向７１へ通過する。これにより、記録紙１２の幅方向両端部１２Ｂにおける第１方向７１の上流端は、支持ガイド８０により支持されなくなる。これにより、第２フラップ６８が自重によって第４状態へ向かって回動し、回動する第２フラップ６８により、記録紙１２の幅方向両端部１２Ｂにおける第１方向７１の上流端が下方向７へ押し下げられる。そして、第２フラップ６８は第４状態になり、記録紙１２の幅方向両端部１２Ｂにおける第１方向７１の上流端は、第４状態になった第２フラップ６８の第３当接面６８Ｃに当接する。
【００９１】
スイッチバックローラ４１は、記録紙１２における第１方向７１の上流端が、第２状態の第１フラップ６５の第４当接面６５Ｄ及び第４状態の第２フラップ６８の第３当接面６８Ｃにそれぞれ当接した状態で、正転から逆転へ回転方向が切り替えられるように制御される。図５には、第１方向７１の上流端が、第２状態の第１フラップ６５の第４当接面６５Ｄ及び第４状態の第２フラップ６８の第３当接面６８Ｃに当接した記録紙１２が破線で示されており、図５の矢印Ｃへ記録紙１２、第１案内部材６１及び第２案内部材６２を視た状態が図７（Ｃ）に示される。
【００９２】
この場合、図７（Ｃ）に示されるように、第２フラップ６８の第３当接面６８Ｃは、第１フラップ６５の第４当接面６５Ｄよりも下方向７に位置している。このために、記録紙１２の幅方向両端部１２Ｂは、記録紙１２における幅方向中央部１２Ａよりも下方に押し下げられた状態で第２搬送路２８Ｂへ案内される。これにより、記録紙１２における幅方向両端部１２Ｂが、記録紙１２自体の弾性等によって上方向６に跳ね上がることがない。従って、記録紙１２における幅方向両端部１２Ｂが、第２フラップ６８や支持部材８０に引っ掛かるようなことがなく、第２方向７２へ搬送される記録紙１２が安定して第２搬送路２８Ｂへ案内される。
【００９３】
また、第２フラップ６８の第３当接面６８Ｃは、第１フラップ６５の第４当接面６５Ｄよりも第２搬送路２８Ｂへ突出している。従って、第２方向７２へ搬送される記録紙１２の幅方向両端部が、第３当接面６８Ｃによって第２搬送路２８Ｂへ案内される距離は、記録紙１２の幅方向中央部が第４当接面６５Ｄによって第２搬送路２８Ｂへ案内される距離よりも長くなる。その結果、記録紙１２における幅方向両端部は、上方向６に跳ね上がることが、確実に抑制されて、第２搬送路２８Ｂへ案内される。
【００９４】
なお、スイッチバックローラ４１は、例えば、スイッチバック搬送部４０より第１方向７１の上流の位置に設けられており、第１方向７１へ搬送される記録紙１２の有無により異なる信号を出力するセンサの出力、及び同期して回転する第２搬送ローラ及びスイッチバックローラ４１の回転量に基づいて、正転から逆転へ切り替えられる。例えば、センサの出力に基づいて、記録紙１２における第１方向７１の上流端の位置を検知し、その後の第２搬送ローラ及びスイッチバックローラ４１の回転量に基づいて記録紙１２における第１方向７１の上流端の位置を把握して、当該上流端が予め設定された位置、例えば、第１搬送路２８Ａと第２搬送路２８Ｂとの接続位置に到達したタイミングで、スイッチバックローラ４１の回転が切り替えられる。
【００９５】
第１フラップ６５及び第２フラップ６８により第２搬送路２８Ｂへ案内された記録紙１２は、第２搬送路２８Ｂを通過して、第１搬送路２８Ａにおける記録部３１よりも上流位置において、第１搬送路２８Ａへ再び進入する。第１搬送路２８に進入した記録紙１２は、給送ガイド部材１６に案内されることにより、第１面と第２面とが反転されてプラテン５０上へ搬送される。
【００９６】
プラテン５０上に搬送された記録紙１２は、記録部３１により、上方向６を向く第２面に画像が記録される。次いで、記録紙１２は、第１面に画像が記録された前述の場合と同様に、シート案内部６０における第１案内部材６１の第１フラップ６５及び第２案内部材６２の第２フラップ６８によって案内されて、スイッチバック搬送部４０へ搬送される。スイッチバック搬送部４０では、スイッチバックローラ４１が正転しており、スイッチバックローラ４１と第２拍車ローラ４２との間に進入した記録紙１２が、排出トレイ１７上に排出されるまで、スイッチバックローラ４１の正転が継続される。これにより、両面に画像が記録された記録紙１２は排出トレイ１７上に排出される。
【００９７】
［実施形態の作用効果］
本実施形態では、第１面に画像が記録された記録紙１２は、幅方向中央部１２Ａが、第１フラップ６５の第１当接面６５Ｂによって第１方向７１へ案内された後に、幅方向両端部１２Ｂが、第２フラップ６８の第２当接面６８Ｂによって第１方向７１へ案内される。この場合、記録紙１２の幅方向中央部１２Ａにおける上方向６への突出量が、第１フラップ６５の第１当接面６５Ｂによって低下される。これにより、第１フラップ６５の第１当接面６５Ｂから記録紙１２の幅方向中央部１２Ａに作用する押圧力が低下され、記録紙１２は安定的に第１方向７１へ搬送される。
【００９８】
スイッチバック搬送部４０によって第２方向７２へ搬送される記録紙１２は、第１フラップ６５の第４当接面６５Ｄ及び第２フラップ６８の第３当接面６８Ｃによって、第２搬送路２８Ｂへ案内される。第２フラップ６８の第３当接面６８Ｃは、第１フラップ６５の第４当接面６５Ｄよりも下方向７に位置しているので、記録紙１２の幅方向両端部１２Ｂは、記録紙１２における幅方向中央部１２Ａよりも下方に押し下げられた状態で第２搬送路２８Ｂへ案内される。これにより、記録紙１２における幅方向両端部１２Ｂが、第２フラップ６８や支持部材８０に引っ掛かることがなく、第２方向７２へ搬送される記録紙１２が安定して第２搬送路２８Ｂへ案内される。
【００９９】
また、第２フラップ６８の第３当接面６８Ｃによって案内される記録紙１２の幅方向両端部１２Ｂは、第１フラップ６５の第４当接面６５Ｄによって案内される記録紙１２の幅方向中央部１２Ａよりも、第２搬送路２８Ｂにおける搬送方向の下流への案内距離が長い。これにより、記録紙１２における幅方向両端部１２Ｂが湾曲した状態、あるいは湾曲するような力が作用した状態であっても、記録紙１２は、第２搬送路２８Ｂへ安定的に案内される。
【０１００】
第１フラップ６５の第１上流端部６５Ｅは、第１支持軸６１Ａに回動可能に支持されており、第２フラップ６８の第２上流端部６８Ｅは、第２支持軸６２Ａに回動可能に支持されている。第１支持軸６１Ａの位置は、第２支持軸６２Ａの位置よりも第１方向７１の上流である。この場合、第１フラップ６５が、第２状態から第１状態に回動する場合におけるモーメントを、第２フラップ６８が、第４状態から第３状態に回動する場合におけるモーメントよりも、小さくすることができる。
【０１０１】
第１フラップ６５の第１当接面６５Ｂは、第１方向７１の上流に向かって第１搬送路２８Ａから退避するように傾斜した傾斜面である。また、第２フラップ６８の第２当接面６８Ｂは、第１方向７１の上流に向かって第１搬送路２８Ａから退避するように傾斜した傾斜面である。この場合、第１フラップ６５は、第１方向７１へ搬送される記録紙１２によって、円滑に第２状態から第１状態へ変位される。また、第２フラップ６８は、第１方向７１へ搬送される記録紙１２によって、円滑に第４状態から第３状態へ変位される。これにより、記録紙１２は、第１フラップ６５及び第２フラップ６８によって、第１方向７１へ安定的に案内される。
【０１０２】
第１フラップ６５の第４当接面６５Ｄは、第２方向７２の上流へ向かって第２搬送路２８Ｂから退避するように傾斜した傾斜面である。また、第２フラップ６８の第３当接面６８Ｃは、第２方向７２の上流へ向かって第２搬送路２８Ｂから退避するように傾斜した傾斜面である。これにより、記録紙１２は、第１フラップ６５の第４当接面６５Ｄ及び第２フラップ６８の第３当接面６８Ｃにより、第２搬送路２８Ｂへ安定的に案内される。
【０１０３】
スイッチバック搬送部４０は、第１方向７１へ搬送される記録紙１２における第１方向７１の上流端が、第１フラップ６５の第４当接面６５Ｄ及び第２フラップ６８の第３当接面６８Ｃにそれぞれ当接した状態で、記録紙１２の搬送方向が第１方向７１から第２方向７２に切り換えられる。これにより、第２方向７２へ搬送される記録紙１２が当接することによって、第２状態の第１フラップ６５及び第４状態の第２フラップ６８が、それぞれ第１状態又は第３状態に回動するおそれがなく、記録紙１２は第２搬送路２８Ｂへ安定的に案内される。
【０１０４】
第２搬送路２８Ｂは、第１搬送路２８Ａとは記録部３１よりも第１方向７１の上流及び下流においてそれぞれ接続されている。従って、第２搬送路２８Ｂを通過した記録紙１２は、第１面と第２面とが反転された状態で第１搬送路２８Ａを記録部３１へ搬送される。
【０１０５】
第１フラップ６５の第１当接面６５Ｂ及び第２フラップ６８の第２当接面６８Ｂは、第１方向７１へ搬送される記録紙１２に対して、記録部３１が画像を記録した記録面において当接する。
【０１０６】
［変形例］
第１フラップ６５及び第２フラップ６８のそれぞれは、自重によって回動する構成に限らず、バネ等の付勢手段によって回動する構成であってもよい。
【０１０７】
第１支持軸６１Ａ及び第２支持軸６２Ａは、第１方向７１に沿ってずれることなく配置される構成、あるいは、第２支持軸６２Ａが第１支持軸６１Ａよりも第１方向の上流に位置させる構成としてもよい。この場合には、第１フラップ６５及び第２フラップ６８の形状を変更することにより、第１フラップ６５が記録紙１２の幅方向中央部１２Ａに対する当接する位置が、第２フラップ６８が幅方向両端部１２Ｂに当接する位置よりも第１方向７１の上流とされる。
【０１０８】
また、スイッチバック搬送部４０によって、記録紙１２の搬送方向を、第１方向７１から第２方向７２へ切り換える場合には、記録紙１２における第１方向７１の上流端が、第１フラップ６５及び第２フラップ６８に当接していなくてもよい。すなわち、記録紙１２が、第１フラップ６５及び第２フラップ６８から第１方向７１に離れた状態で、記録紙１２の搬送方向を、第１方向７１から第２方向７２へ切り換える構成としてもよい。この場合には、記録紙１２が第２方向７２へ搬送されると、記録紙１２は、第１フラップ６５及び第２フラップ６８に当接して、第２搬送路２８Ｂへ案内される。
【符号の説明】
【０１０９】
６０・・・・シート案内部
６１・・・・第１案内部材
６１Ａ・・・第１支持軸
６２・・・・第２案内部材
６２Ａ・・・第２支持軸
６５・・・・第１フラップ
６５Ｂ・・・第１当接面
６５Ｄ・・・第４当接面
６８・・・・第２フラップ
６８Ｂ・・・第２当接面
６８Ｃ・・・第３当接面
【図１】
2017081742.tif 000003
【図２】
2017081742.tif 000004
【図３】
2017081742.tif 000005
【図４】
2017081742.tif 000006
【図５】
2017081742.tif 000007
【図６】
2017081742.tif 000008
【図７】
2017081742.tif 000009
【図８】
2017081742.tif 000010